(57)【要約】【課題】  外部の映像ソースを視聴していても、オフタイマが働いて電源が切られてしまうというような事態が起きないようにした映像機器のリモ−トコントロール装置及び映像表示システムを提供する。【解決手段】  所定時間の間操作信号が入力されないと電源をオフにする無操作オフタイマを備えたテレビ受信機１０に対し、映像ソースを提供するビデオレコーダー５０のリモートコントロール装置５１において、キー操作部５２が操作されるとその操作信号を信号出力部５７により送信させる制御部５４とを備える。制御部５４は、ビデオレコーダー５０に対する操作信号が入力すると、当該操作信号をビデオレコーダー５０に対して無線送信させるとともに、所定のテレビ用操作信号をテレビ受信機１０に対して無線送信させて、テレビ受信機１０の無操作オフタイマを解除させる。【選択図】        図１
2007027973.tif 000002
【特許請求の範囲】
【請求項１】
第１の所定時間の間操作信号が入力されないと電源をオフにする無操作オフタイマを備えたテレビ受信機に対し、映像ソースを提供する映像機器のリモートコントロール装置において、
各種の操作信号を入力する操作部と、
前記映像機器及びテレビ受信機に対して前記操作信号を無線送信する信号出力部と、
前記操作部が操作されるとその操作信号を前記信号出力部により送信させる制御部とを備え、
前記制御部は、前記映像機器に対する操作信号が入力してきたときに、該操作信号を前記映像機器に対して前記信号出力部により無線送信させるともに、所定のテレビ用操作信号を前記テレビ受信機に対して前記信号出力部により無線送信させて、前記テレビ受信機の無操作オフタイマを解除させることを特徴とするリモートコントロール装置。
【請求項２】
前記制御部は、前記テレビ受信機に対する操作信号を送信してから第２の所定時間（但し、第１の所定時間＞第２の所定時間）を経過した後に、前記映像機器に対する操作信号が入力してきたときに、当該操作信号を前記映像機器に対して無線送信させるとともに、所定のテレビ用操作信号を前記テレビ受信機に対して無線送信させることを特徴とする請求項１記載のリモートコントロール装置。
【請求項３】
時間を計測するタイマを備え、
前記制御部は、前記テレビ受信機の操作信号を無線送信させたとき、前記タイマの時間計測を再スタートさせることを特徴とする請求項１又は２記載のリモートコントロール装置。
【請求項４】
前記制御部は、前記タイマの計測時間と前記第２の所定時間とを対比して、前記テレビ受信機の操作信号を送信してから第２の所定時間を経過したかどうかを判断することを特徴とする請求項３記載のリモートコントロール装置。
【請求項５】
前記制御部は、前記所定のテレビ用操作信号として、通常の映像表示及び音声出力に影響を与えない操作信号を送信させることを特徴とする請求１〜４の何れかに記載のリモートコントロール装置。
【請求項６】
前記映像機器に付属し且つテレビ受信装置の一部の操作が可能である、又は前記映像機器に及びテレビ受信機の双方の操作に適用されるものであることを特徴とする請求項１〜５の何れかに記載のリモートコントロール装置。
【請求項７】
第１の所定時間の間操作信号の入力がないと電源をオフにする無操作オフタイマを備えたテレビ受信機と、
前記テレビ受信機に対して映像ソースを提供する映像機器と、
前記映像機器及びテレビ受信機に対して操作信号を送信するリモートコントロール装置とを備え、
前記リモートコントロール装置は、
各種の操作信号を入力する操作部と、
前記外部機器及びテレビ受信機に対して操作信号を無線送信する信号出力部と、
前記操作部が操作されるとその操作信号を前記信号出力部により送信させる制御部とを備え、
前記制御部は、前記テレビ受信機に対する操作信号を送信してから第２の所定時間（但し、第１の所定時間＞第２の所定時間）を経過した後に、前記映像機器に対する操作信号が入力してきたときには、前記信号出力部により、当該操作信号を前記映像機器に対して無線送信させるととも、所定のテレビ用操作信号を前記テレビ受信機に対して無線送信させて、前記テレビ受信機の無操作オフタイマを解除させることを特徴とする映像表示システム。
【発明の詳細な説明】
【技術分野】
【０００１】
本発明は、リモートコントロール装置及び映像表示システムに関し、特に、テレビ受信機のオフタイマの解除に関する。
【背景技術】
【０００２】
従来のテレビ受信機は、例えばテレビを視聴中に寝てしまったり或いは外出してしまったりしたときなどには、電源が入りっぱなしになってしまう。このため、そのような事態を避けるために、例えば一定時間操作がなかった場合には自動的に電源を切るオフタイマ機能を備えたものが提案されている（例えば特許文献１参照）。
【特許文献１】特開２０００−３６１４３号公報
【発明の開示】
【発明が解決しようとする課題】
【０００３】
しかしながら、近年は外部のデジタルチューナー、ビデオレコーダーやＤＶＤプレーヤーなどの映像ソースを見るためのモニター代わりに使われる場合が多く、そのような場合には音量を調整しないかぎり、テレビ受信機の操作は全くなされないので、テレビ受信機側では無操作状態が続いたものとみなされて、視聴中にもかかわらずオフタイマが働いて電源が切られてしまうという問題点があった。
【０００４】
本発明は、このような問題点を解決するためになされたものであり、外部の映像ソースを視聴していても、オフタイマが働いて電源が切られてしまうというような事態が起きないようにした映像機器のリモートコントロール装置及び映像表示システムを提供することを目的とする。
【課題を解決するための手段】
【０００５】
本発明に係るリモートコントロール装置は、第１の所定時間の間操作信号が入力されないと電源をオフにする無操作オフタイマを備えたテレビ受信機に対し、映像ソースを提供する映像機器のリモートコントロール装置において、各種の操作信号を入力する操作部と、前記映像機器及びテレビ受信機に対して前記操作信号を無線送信する信号出力部と、前記操作部が操作されるとその操作信号を前記信号出力部により送信させる制御部とを備え、前記制御部は、前記映像機器に対する操作信号が入力してきたときに、当該操作信号を前記映像機器に対して前記信号出力部により無線送信させるとともに、所定のテレビ用操作信号を前記テレビ受信機に対して前記信号出力部により無線送信させて、前記テレビ受信機の無操作オフタイマを解除させる。本発明においては、映像機器の操作信号であっても、それを所定のテレビ用操作信号としてテレビ受信機に対して無線送信し、テレビ受信機の無操作オフタイマを解除させるようにしており、このため、テレビ受信機の操作をしなくとも、視聴中に無操作オフタイマが働いて電源が切られてしまうというような事態が避けられている。
【０００６】
本発明に係るリモートコントロール装置において、前記制御部は、前記テレビ受信機に対する操作信号を送信してから第２の所定時間（但し、第１の所定時間＞第２の所定時間）を経過した後に、前記映像機器に対する操作信号が入力してきたときに、当該操作信号を前記映像機器に対して無線送信させるとともに、所定のテレビ用操作信号を前記テレビ受信機に対して無線送信させる。本発明においては、映像機器の操作信号を所定のテレビ用操作信号として無線送信する際の処理を、テレビ受信機に対する操作信号（上記の所定のテレビ用操作信号を含む）を送信してから第２の所定時間（第１の所定時間＞第２の所定時間）を経過した場合に行うようにしており、その処理回数が必要な範囲で低減されている。
【０００７】
本発明に係るリモートコントロール装置は、時間を計測するタイマを備え、前記制御部は、前記テレビ受信機の操作信号が入力したとき及び前記所定のテレビ用操作信号を無線送信させたとき、前記タイマの時間計測を再スタートさせる。
【０００８】
本発明に係るリモートコントロール装置において、前記制御部は、前記タイマの計測時間と前記第２の所定時間とを対比して、前記テレビ受信機の操作信号を送信してから第２の所定時間を経過したかどうかを判断する。
【０００９】
本発明に係るリモートコントロール装置において、前記制御部は、前記所定のテレビ用操作信号として、通常の映像表示及び音声出力に影響を与えない操作信号を送信させる。
【００１０】
本発明に係るリモートコントロール装置は、前記映像機器に付属し且つテレビ受信機の一部の操作が可能である、又は前記映像機器に及びテレビ受信装置の双方の操作に適用されるものである。
【００１１】
本発明に係る映像表示システムは、第１の所定時間の間操作信号の入力がないと電源をオフにする無操作オフタイマを備えたテレビ受信機と、前記テレビ受信機に対して映像ソースを提供する映像機器と、前記映像機器及びテレビ受信機に対して操作信号を送信するリモートコントロール装置とを備え、前記リモートコントロール装置は、各種の操作信号を入力する操作部と、前記外部機器及びテレビ受信機に対して操作信号を無線送信する信号出力部と、前記操作部が操作されるとその操作信号を前記信号出力部により送信させる制御部とを備え、前記制御部は、前記テレビ受信機に対する操作信号を送信してから第２の所定時間（但し、第１の所定時間＞第２の所定時間）を経過した後に、前記映像機器に対する操作信号が入力してきたときには、前記信号出力部により、当該操作信号に対応したコード信号を前記映像機器に対して無線送信させるとともに、所定のテレビ用操作信号を前記テレビ受信機に対して無線送信させて、前記テレビ受信機の無操作オフタイマを解除させる。
【発明を実施するための最良の形態】
【００１２】
実施形態１．
図１は本発明の実施形態１に係る映像表示システムの構成を示すブロック図である。この映像表示システムでは、テレビ受信機１０にビデオレコーダー５０が接続されており、ビデオレコーダー５０の映像ソースがテレビ受信機１０で視聴できる状態になっている。ビデオレコーダー５０はリモコン装置（以下リモコンという）５１を備えている。このリモコン５１は、キー操作部５２、キー入力処理部５３、制御部５４、タイマ５５、リモコンコード保持部５６及び信号出力部５７を備えている。キー操作部５２が操作されると、キー入力処理部５３はそのキー操作に対応した操作信号を制御部５４に出力する。制御部５４は、リモコンコード保持部５６からその操作信号に対応したコード信号を読み込んで信号出力部５７に出力する。信号出力部５７はそのコード信号を例えば赤外線を利用して外部に送信する。ビデオレコーダ−５０はその赤外線信号を受信して各種の制御を行う。テレビ受信機１０も該当する操作信号（例えば音量調整）についてはその赤外線信号を受信してそれに対応した制御を行う。また、制御部５４は、タイマ５５が所定時間（第２の所定時間）を計測した状態で、ビデオレコーダー５０に対する操作信号が入力されてくると、信号出力部５７に操作信号に対応したコード信号を送信させる他に、特定のテレビ用操作信号に対応したコード信号を送信させる。
【００１３】
図２は図１のテレビ受信機１０の構成を示すブロック図である。このテレビ受信機１０は、テレビ放送受信部１１、画像処理回路１５、フレームメモリ（フィールドメモリ）１６、映像出力回路１７、表示デバイス１８、音声信号処理回路１９、アンプ２０及びスピーカー２１を備えている。テレビ放送受信部１１は、チューナー１２、デマルチプレクサ１３及び映像信号処理回路１４から構成されている。
【００１４】
このテレビ受信機１０は、更に、コンポジット・ビデオ信号端子２２、Ｓ端子２３、Ｄ端子２４及びアナログＹＵＶ信号端子２５からなる外部映像信号端子２６、それらの映像信号にそれぞれ対応した音声信号端子２７〜３０からなる外部音声信号端子３１、Ａ／Ｖスイッチ３２、ビデオデコーダー３３、オーディオデコーダー３４、リモートコントローラ（テレビ用）３５、受信部３６、操作部３７、インターフェース（ＩＦ）３８、オフタイマ３９、電源制御部４０、電源部４１及び制御部４２を備えている。制御部４２は、ＣＰＵ４３、ＣＰＵ４３が実行すべきプログラムや固定データなどが書き込まれたＲＯＭ４４及びＣＰＵ４３のワークエリアなどとして機能するＲＡＭ４５によって構成されている。そして、チューナー１２、デマルチプレクサ１３、映像信号処理回路１４、音声信号処理回路１９、画像処理回路１５、受信部３６、インターフェース３８、オフタイマ（無操作オフタイマ）３９、電源制御部４０及び制御部４２はバス４６を介して接続されており、制御部４２により回路全体が制御される。
【００１５】
このテレビ受信機１０のテレビ放送受信部１１は例えばデジタル放送用の例であるものとする。制御部４２が操作部３７からの操作信号をインターフェース３８を介して取り込んで、その操作信号に基づいた選局信号をチューナー１２に出力することにより、チューナー１２でその選局信号に対応したチャンネルが設定される。チューナー１２に接続されているアンテナ（図示せず）は周波数変換器を備えており、例えばＣＳ（Communication  Satellite）から送られてくるデジタル放送信号を受信して、周波数変換した信号をチューナー１２に出力する。チューナー１２は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ（DEMUX）１３は、前記トランスポート・ストリームを、例えばＭＰＥＧ２（Moving Picture Experts Group2）のビデオストリーム、オーディオストリーム、及びＰＳＩ／ＳＩ（Program Specific Information/Service Information）等に分離し、ビデオストリームを映像信号処理回路１４に出力し、オーディオストリームを音声信号処理回路１９に出力する。
【００１６】
映像信号処理回路１４はビデオデコーダー等を内蔵しており、入力された可変長符号を復号して量子化係数や動きベクトルを求め、逆ＤＣＴ変換や動きベクトルに基づく動き補償制御等を行って、上記のチューナー１２の選局信号に対応したチャンネルの映像信号（デジタル形式のＲＧＢまたはＹＵＶの映像信号）を画像処理回路１５に出力する。
【００１７】
また、コンポジット・ビデオ信号端子２２、Ｓ端子２３、Ｄ端子２４及びアナログＹＵＶ信号端子２５のいずれかの端子にその端子に対応した映像信号（外部の映像ソース）が入力すると、その映像信号はＡ／Ｖスイッチ３２を介してビデオデコーダー３３によりデコードされ、デコードされた映像信号（デジタル形式のＲＧＢの映像信号／ＹＵＶの映像信号）を画像処理回路１５に出力する。
【００１８】
画像処理回路１５は、ＴＶ放送受信部１１又はビデオデコーダー３３から映像信号を取り込むと、後段の例えば液晶パネルからなる表示デバイス１８の解像度に応じたリサイズ等の処理をし、例えばフレームメモリ１６にフレーム画像を展開し、そのフレーム画像の映像信号を映像出力回路１７に出力する。映像出力回路１７はそのフレーム画像の映像信号をＤ／Ａ変換等の処理をして後段の表示デバイス１８を駆動し、表示デバイス１８はそのフレーム画像に対応した映像を表示する。
【００１９】
また、音声信号処理回路１９は、オーディオデコーダ等を内蔵しており、入力された符号化信号を復号して音声信号（音声データ）を生成し、更に、その音声信号をＤ／Ａ変換し、例えば右（Ｒ）音のアナログ信号及び左（Ｌ）音のアナログ信号を生成してアンプ２０に出力する。アンプ２０は右（Ｒ）音及び左（Ｌ）音のアナログ信号を増幅してスピーカー２１に出力し、スピーカー２１から音声が得られる。また、上記の外部映像信号端子２６に対応した外部音声信号端子３１（２７〜３０）にその端子に対応した音声信号が入力すると、その音声信号はＡ／Ｖスイッチ３２を介してオーディオデコーダー３４に供給され、オーディオデコーダー３４はその音声信号に応じてデコードし、デコードされた音声信号はＤ／Ａ変換され、上記の音声信号処理回路１９の場合と同様にしてアンプ２０に出力してスピーカー２１から音声が得られる。
【００２０】
また、オフタイマ３９は、受信部３６及びインターフェース３８を介して操作信号が入力するたびに計測値をリセットして計測を開始し、その計測値が所定時間（第１の所定時間）を経過すると、制御部４２は電源制御部４０を介して電源部４１をオフにする処理をさせる。
【００２１】
このテレビ受信機１０には、図１に示されるように、ビデオレコーダー５０が接続されており、外部映像信号端子２６及び外部音声信号端子３１の該当する端子に映像信号及び音声信号が供給されて、ビデオレコーダー５０からの映像信号に対応した映像が表示デバイス１８に表示され、ビデオレコーダー５０からの音声信号に対応した音声がスピーカー２１により得られているものとする。この状態で、例えばリモコン５１を操作すると、ビデオレコーダー５０はその操作信号に応じた制御（例えば再生、早送り、巻き戻し等）を行うが、テレビ受信機１０の受信部３６もその操作信号を受信し、その操作信号がテレビ受信機１０用のものであればそれに応じた制御がなされる。このときのリモコン５１の動作を図３に基づいて説明する。
【００２２】
図３はリモコン５１の動作を示したフローチャートである。制御部５４は、ユーザーがキー操作部４２を操作すると、その操作信号をキー入力処理部５３を介して入力し、キー入力を検出すると（Ｓ１１）、そのキー入力は内部設定キーであるかどうかを判断する（Ｓ１２）。内部設定キーであるかという判断をした場合には、そのキー入力に対応した内部設定をする（Ｓ１３）。例えばメーカ・コード機種設定、テレビキー選択、送信タイマ値の設定等を行う。そして、タイマ５５を再スタートさせる（Ｓ１４）。即ち、タイマ５５の計測値をリセットして再び計測を開始させる。
【００２３】
また、そのキー入力が内部設定キーではなかった場合には、それがＴＶ操作キーであるかどうかを判断する（Ｓ１５）。ＴＶ操作キーとしては、例えばボリュームキー（音量調整）、チャンネルのアップ・ダウンキー等を操作した場合には、ＴＶ操作キーであると判断されて、タイマ５５を再スタートさせる（Ｓ１６）。そして、その操作キーに対応したコード信号をリモコンコード保持部５６から読み出して信号出力部５７から赤外線信号として送信する（Ｓ１７）。リモコン５１からその赤外線信号が送信されると、テレビ受信機１０の受信部３６がその赤外線信号を受信し、制御部４２がその信号を取り込むと、オフタイマ３９を再スタートさせるとともに、リモコン５１からの操作信号に対応した制御をする。例えば操作信号が音量調整であった場合にはアンプ２０の増幅度を調整する。
【００２４】
リモコン５１の制御部５４は、キー入力が内部設定キー及びＴＶ操作キーの何れでもなかった場合には、タイマ５５の計測時間が第２の所定時間を経過したどうかを判断する（Ｓ１８）。タイマ５５の計測時間が所定時間を経過していない場合には、そのキー入力に対応したコード信号をリモコンコード保持部５６から読み出し、そのコード信号を信号出力部５７から赤外線信号として送信する（Ｓ２１）。ビデオレコーダー５０はその赤外線信号を受信し、その赤外線信号（操作信号）に対応した制御をする。
【００２５】
リモコン５１の制御部５４は、タイマ５５の計測時間が第２の所定時間を経過したと判断した場合には、リモコンコード保持部５６から所定のテレビ用コード信号を読み出し、テレビ用コード信号を信号出力部５７から赤外線信号として送信する（Ｓ１９）。このテレビ用コード信号としては例えば「画面表示」を２回連続で送信する等、通常の視聴動作に影響を与えないようにものとする。テレビ受信機１０の受信部３６がその赤外線信号を受信し、制御部４２がその信号を取り込むと、オフタイマ３９の時間計測を再スタートさせるとともに、リモコン５１からの操作信号に対応する制御（「画面表示」）をする。このオフタイマ３９の時間計測を再スタートにより、仮に、テレビ受信機１０に対して所定時間の操作がなされなかったとしても、それによって電源部４１がオフ処理されるような事態が避けられる。
【００２６】
リモコン５１の制御部５４は、テレビ用コード信号を送信した後に、タイマ５５の時間計測を再スタートさせ（Ｓ２０）、キー入力に対応したコード信号をリモコンコード保持部５６から読み出し、そのコード信号を信号出力部５７から赤外線信号として送信する（Ｓ２１）。ビデオレコーダー５０はその赤外線信号を受信し、その赤外線信号（操作信号）に対応した制御をする。
【００２７】
以上のように本実施形態１においては、ビデオレコーダー５０の操作信号であっても、それを所定のテレビ用操作信号とともに送信し、テレビ受信機１０のオフタイマ３９を解除させるようにしたので、テレビ受信機の操作をしなくとも、視聴中にオフタイマ３９が働いて電源が切られてしまうというような事態が避けられている。また、ビデオレコーダー５０の操作信号を所定のテレビ用操作信号として送信する際の処理を、テレビ受信機１０に対する操作信号を送信してから第２の所定時間（第１の所定時間＞第２の所定時間）を経過した場合に行うようにしており、このためその処理頻度が低減している。
【００２８】
実施形態２．
なお、上述の実施形態１においてはテレビ受信機としてデジタル放送を受信する形式のものについて説明したが、アナログ放送を受信する形式のものであったてもよいし、また、映像機器としてビデオレコーダーの例について説明したが、デジタルチューナー、ＤＶＤプレイヤー等の映像ソースを提供する機能をもったものであれば、同様に適用される。また、リモコンとしてビデオレコーダー用のものについて説明したが、ビデオレコーダー及びテレビ受信機の双方に適用できる汎用リモコンにも同様に適用される。いずれにしても、映像機器を制御するリモコンに上述のようなテレビ用コード信号を送信させる機能をもたせることにより、テレビ受信機のオフタイマ３９が働いて電源が切れるのを防止することができる。
【図面の簡単な説明】
【００２９】
【図１】本発明の実施形態１に係る映像表示システムの構成を示すブロック図。
【図２】図１のテレビ受信機の構成を示したブロック図。
【図３】図１のリモコンの動作を示すフローチャート。
【符号の説明】
【００３０】
１０ テレビ受信機、１１ テレビ放送受信部、１２ チューナー、１３ デマルチプレクサ、１４ 映像信号処理回路、１５ 画像処理回路、１６ フレームメモリ、１７ 映像出力回路、１８ 表示デバイス、１９ 音声信号処理回路、２０ アンプ、２１ スピーカー、３２ Ａ／Ｖスイッチ 、 ３３ ビデオデコーダー、３４ オーディオデコーダー、３５ リモートコントローラ、３６ 受信部、３７ 操作部、３８ インターフェース、 ３９ オフタイマ、 ４０ 電源制御部、４１ 電源部 、４２ 制御部、５０ ビデオレコーダー、５１ リモコン、５２ キー操作部、５３ キー入力処理部、５４ 制御部、５５ タイマ、５６ リモコンコード保持部、５７ 信号出力部。
【図１】
2007027973.tif 000003
【図２】
2007027973.tif 000004
【図３】
2007027973.tif 000005